(57)【要約】【課題】  体動等によって生じる磁場不均一性が計測精度に及ぼす影響を除去することができる磁気共鳴映像診断システムを提供すること。【解決手段】  温熱治療において、加温される患部の温度を計測する磁気共鳴イメージングシステムであって、加温装置による加温に同期した撮影動作実行するように撮影手段を制御し、当該撮影によって得られた発生時刻の異なる磁気共鳴信号の位相変化に基づいて、計測温度データを生成する。【選択図】      図５
2005304558.tif 000002
【特許請求の範囲】
【請求項１】
被検体の特定部位を周期的に加温する加温装置と、加温中の前記特定部位の温度変化を計測する磁気共鳴イメージング装置と、からなる磁気共鳴イメージングシステムであって、
前記被検体を配置するための静磁場空間を形成する磁性手段と、
前記静磁場空間に配置された前記被検体に対して傾斜磁場及び高周波を印加し、当該傾斜磁場及び高周波の印加によって当該被検体の前記特定部位に発生する磁気共鳴信号を受信する撮影動作を実行する撮影手段と、
前記加温装置による加温に同期して前記撮影動作を実行するように、前記撮影手段を制御する制御手段と、
前記撮影動作によって得られる前記磁気共鳴信号の位相変化に基づいて、計測温度データを生成する温度データ生成手段と、
を具備することを特徴とする磁気共鳴イメージングシステム。
【請求項２】
前記制御手段は、前記加温装置による加温に同期させて、当該加温の一周期内において少なくとも前記撮影動作を二回実行することで、発生時刻の異なる前記磁気共鳴信号を受信するように、前記撮影手段を制御し、前記温度データ生成手段は、
発生時刻の異なる前記磁気共鳴信号の位相変化に基づいて、前記一周期分の加温に対応する前記特定部位の温度変化を基準温度変化として推定し、
前記基準温度変化及び前記計測温度データの少なくとも一方に基づいて、前記特定部位に関する温度変化を生成すること、
を特徴とする請求項１記載の磁気共鳴イメージングシステム。
【請求項３】
前記基準温度変化に基づいて、前記計測温度データを評価する評価手段をさらに具備し、
前記温度データ生成手段は、前記評価の結果に応じて、前記基準温度変化及び前記計測温度データの少なくとも一方に基づいて、前記特定部位に関する温度変化を生成すること、
を特徴とする請求項２記載の磁気共鳴イメージングシステム。
【請求項４】
前記評価手段は、前記基準温度変化と前記計測温度データとの差分値に関する閾値処理、又は当該差分値が描く軌跡に基づいて、前記評価処理を実行することを特徴とする請求項１乃至３のうちいずれか一項記載の磁気共鳴イメージングシステム。
【請求項５】
前記制御手段は、前記加温装置による加温能力に応じて、当該加温の一周期内における前記撮影回数を制御することを特徴とする請求項１乃至４記載の磁気共鳴イメージングシステム。
【発明の詳細な説明】
【技術分野】
【０００１】
本発明は、加熱システムによる温熱治療において、特定部位の温度計測に使用される磁気共鳴映像診断システムに関する。
【背景技術】
【０００２】
磁気共鳴映像診断装置は、固有の磁気モーメントを持つ核の集団が一様な静磁場中に置かれたときに、特定の周波数で回転する高周波磁場のエネルギーを共鳴的に吸収する現象を利用して、物質の化学的及び物理的な微視的情報を映像化し、あるいは化学シフトスペクトラムを観測する装置である。
【０００３】
一方、腫瘍組織と正常組織の熱感受性の違いを利用して、患部を超音波等により一定温度以上に加温・維持することで腫瘍組織を選択的に死滅させる温熱治療法というものがある。一般に、この温熱治療方法の治療成績は、対象部位の温度管理に大きく依存しる。
【０００４】
磁気共鳴映像診断装置は、上記温熱治療において治療部位（患部）の温度計測に使用することができる。磁気共鳴映像診断装置を使用した温度計測技術としては、例えば、水プロトン化学シフトの温度依存性を利用した温度分布計測法等がある（例えば、特許文献１、特許文献２参照）。この方法では被検体の動きなどに伴う対象部位の磁場不均一性の影響により計測精度が悪化する問題があり、これを改善するために、温度変化を示さない領域（例えば、図８に示すような温度計測対象から離れた領域、或いは温度依存性が微小である脂肪組織領域）の位相情報を基準値として誤差を補正する方法が提案されている（特許文献３参照）。
【０００５】
しかしながら、従来の水プロトン化学シフトを用いた温度計測法では、磁気共鳴信号の位相情報を基に温度変化を算出している。このため、計測される位相変化が真の温度変化によるものなのか、あるいは、システム変動・被検体の動きによる誤差成分によるものかを区別することが出来ない。
【０００６】
また、温度変化を示さない物質領域の位相情報を基準値として誤差を補正する方法では、磁場不均一性の変化の分布が比較的低次の場合には、対象部位近傍の磁場不均一性の変化を相殺できる。しかしながら、磁場不均一性の変化が高次分布を呈する場合には、これに起因する誤差成分を除去することはできない。
【０００７】
また、従来の各手法では、温度計測中に被検体の急激な動きが発生した場合には、図９に示すように磁気共鳴信号の位相値に不連続点が観測される。そのため、図１０に示すように、位相変化後の位相分布を新たな基準として採用し温度変化を算出している。従って、図１０に示す加温処理開始時からの継続した温度変化は、体動による誤差を累積的に含んだものとなってしまう。また、不連続点として観測されない体動が発生した場合には、加温処理による温度変化と体動による誤差とを適切に区別することができない。
【特許文献１】特開平４−０５５２５７号公報
【特許文献２】米国特許５３７８９８７号公報
【特許文献３】特開平７−５５６４２号公報
【発明の開示】
【発明が解決しようとする課題】
【０００８】
本発明は、上記事情を鑑みてなされたもので、腫瘍等の温熱治療時に加温効果を磁気共鳴イメージングによってモニタリングする場合において、システム、或いは被検体の動きによって生じる磁場不均一性が計測精度に及ぼす影響を除去し、信頼性の高い温度計測を実行することができる磁気共鳴映像診断システムを提供することを目的としている。
【課題を解決するための手段】
【０００９】
本発明は、上記目的を達成するため、次のような手段を講じている。
【００１０】
本発明の第１の視点は、
被検体の特定部位を周期的に加温する加温装置と、加温中の前記特定部位の温度変化を計測する磁気共鳴イメージング装置と、からなる磁気共鳴イメージングシステムであって、前記被検体を配置するための静磁場空間を形成する磁性手段と、前記静磁場空間に配置された前記被検体に対して傾斜磁場及び高周波を印加し、当該傾斜磁場及び高周波の印加によって当該被検体の前記特定部位に発生する磁気共鳴信号を受信する撮影動作を実行する撮影手段と、前記加温装置による加温に同期して前記撮影動作を実行するように、前記撮影手段を制御する制御手段と、前記撮影動作によって得られる前記磁気共鳴信号の位相変化に基づいて、計測温度データを生成する温度データ生成手段と、を具備することを特徴とする磁気共鳴イメージングシステムである。
【発明の効果】
【００１１】
以上本発明によれば、腫瘍等の温熱治療時に加温効果を磁気共鳴イメージングによってモニタリングする場合において、システム、或いは被検体の動きによって生じる磁場不均一性が計測精度に及ぼす影響を正確に計測し、これを抑制することができる磁気共鳴映像診断システムを実現できる。
【発明を実施するための最良の形態】
【００１２】
以下、本発明の実施形態を図面に従って説明する。なお、以下の説明において、略同一の機能及び構成を有する構成要素については、同一符号を付し、重複説明は必要な場合にのみ行う。
【００１３】
また、以下の説明においては、磁気共鳴映像診断装置と、温熱治療の患部加熱に使用される加熱装置とからなるシステムを「磁気共鳴映像診断システム」と呼ぶことにする。
【００１４】
図１は、本実施形態に係る磁気共鳴映像診断システム１０のブロック構成図を示している。同図に示す様に、本磁気共鳴映像診断システム１０は、静磁場磁石１１、シムコイル１２、傾斜磁場コイル１３、高周波プローブ１４、シムコイル電源１６、傾斜磁場電源１７、送信部１８、受信部１９、シーケンス制御部２０、計算機システム２１、ディスプレイ２３、コンソール２４、加温部（加温装置）３０を具備している。
【００１５】
静磁場磁石１１は、静磁場を発生する磁石であり、一様な静磁場を発生する。この静磁場磁石１１には、例えば永久磁石、超伝導磁石等が使用され、図示していない冷却系によって冷却される。
【００１６】
シムコイル１２は、磁場の均一性を能動的に制御するためのコイルである。このコイルに電流を流すことにより、静磁場の低次成分を補正することができる。
【００１７】
傾斜磁場コイル１３は、静磁場磁石１１よりも短軸な磁場コイルであり、静磁場磁石１１の内側に設けられる。傾斜磁場コイル１３は、傾斜磁場コイル駆動装置１７から供給されるパルス電流に基づいて、互いに直交するＸ，Ｙ，Ｚの三方向に線形傾斜磁場分布を持つ傾斜磁場を形成する。この傾斜磁場コイル１３が発生する傾斜磁場によって、信号発生部位（位置）が特定される。
【００１８】
なお、Ｚ軸方向は、本実施形態では静磁場の方向と同方向（被検体の体軸方向）にとるものとする。また、本実施形態において、傾斜磁場コイル１３及び静磁場磁石１１は円筒形をしているものとする。また、傾斜磁場コイル１３は、所定の支持機構によって真空中に配置されていてもよい。これは、静音化の観点から、パルス電流の印加によって発生する傾斜磁場コイル１３の振動を、音波として外部に伝播させないためである。
【００１９】
高周波プローブ１４は、被検体の撮像領域に対して高周波パルスを印加するための、及び被検体に発生した磁気共鳴信号を受信するための高周波コイルと、この高周波コイルの共振周波数を磁気共鳴信号の周波数（例えばプロトンの共鳴周波数）に同調させるためのチューニング・マッチング部（図示せず）とを有している。
【００２０】
シムコイル電源１６は、シムコイル１２に所定のタイミングで電流を供給する電源である。
【００２１】
送信部１８は、発振部、位相選択部、周波数変換部、振幅変調部、高周波電力増幅部（それぞれ図示せず）を有しており、ラーモア周波数に対応する高周波パルスを全身用RFコイル１４に送信する。当該送信によって高周波プローブ１４から発生した高周波によって、被検体の所定原子核の磁化は、励起状態となる。
【００２２】
受信部１９は、増幅部、中間周波数変換部、位相検波部、フィルタ、Ａ／Ｄ変換器（それぞれ図示せず）を有し、各レシーバから受信した各磁気共鳴信号（高周波信号）に対して、個別に所定の信号処理を施す。すなわち、受信部１９は、核の磁化が励起状態から基底状態に緩和するとき放出する磁気共鳴信号に対して、増幅処理、発信周波数を利用した中間周波数変換処理、位相検波処理、フィルタ処理、Ａ／Ｄ変換処理を施す。
【００２３】
シーケンス制御部２０は、所定のパルスシーケンスに従って、シムコイル電源１６、傾斜磁場電源１７、送信部１８、受信部１９を駆動・制御する。特に、シーケンス制御部２０は、後述する温度計測処理においては、後述するシーケンスに従って温度計測用の磁気共鳴信号を計測する様に、傾斜磁場電源１７等を駆動・制御する。
【００２４】
計算機システム２１は、受信部１９から受け取った磁気共鳴信号に対して所定の信号処理を施し、磁気共鳴画像（ＭＲ画像）を生成すると共に、撮影におけるシーケンス制御部２０の動作を制御する。
【００２５】
図２は、計算機システム２１の構成のブロック構成図を示した図である。同図に示すように、計算機システム２１は、記憶部２１０、システム制御部２１１、データ収集部２１２、再構成部２１３、温度データ生成部２１４、評価部２１５を有している。
【００２６】
記憶部２１０は、受信部１９を介して得られた再構成前の磁気共鳴信号データ（生データ）、再構成部２１３によって再構成された磁気共鳴画像データ等を患者毎に記憶する。
【００２７】
システム制御部２１１は、図示していないＣＰＵ、メモリ等を有しており、システム全体の制御中枢として、本磁気共鳴イメージング装置を静的又は動的に制御する。
【００２８】
データ収集部２１２は、受信部１９によってサンプリングされたディジタル信号（磁気共鳴信号）を収集する。
【００２９】
再構成部２１３は、データ収集部２１２によって収集されたデータに対して、後処理すなわちフーリエ変換等の再構成等を実行し、被検体内の所望核スピンのスペクトラムデータあるいは画像データを求める。
【００３０】
温度データ生成部２１４は、図３に示す様な所定のシーケンスに従って収集された磁気共鳴信号から、次の式（１）に従って加温部位についての計測温度データを生成する。
【００３１】
△T(x,y,z)＝[θ(x,y,z)- θ0(x,y,z)]／(αγτB0)        （１）
ここで、θは温度変化後に得られた位相分布、θ0は温度変化前に得られた基準位相分布、αは水プロトン化学シフトの温度依存性、γは核磁気回転比、τはエコー時間をそれぞれ意味する。
【００３２】
この計測は、温度変化前後に観測される水プロトンに関する磁気共鳴信号の位相差が温度変化に比例することを利用しており、その内容は、例えばMagn. Reson. Med. No.34 814-823(1995)に詳しい。
【００３３】
また、温度データ生成部２１４は、後述する評価処理の結果に基づいて、計測温度データ又等に基づいて患部温度データを生成する。
【００３４】
評価部２１５は、温度データ生成部２１４によって生成された計測温度データに対して、体動等による誤差（ノイズ）が重畳しているか否かを評価する評価処理を実行する。この評価処理については、後で詳しく説明する。
【００３５】
ディスプレイ２３は、計算機システム２１を介して演算装置２２から入力したスペクトラムデータあるいは画像データ等を表示する出力装置である。
【００３６】
コンソール２４は、オペレータからの各種指示・命令・情報をとりこむため入力装置（マウスやトラックボール、モード切替スイッチ、キーボード等）を有している。
【００３７】
加温部３０は、温熱治療において、例えば超音波照射等によって患部を所定の温度に加熱する装置である。この加温部３０による加温処理は、周期的に実行される。また、一周期における超音波照射は、連続的であってもパルス的であってもよい。
【００３８】
（加温制御及び温度計測シーケンス）
次に、本磁気共鳴イメージング装置１０が実行する、加温治療における温度計測のためのスキャンシーケンスについて説明する。
【００３９】
図４は、加温処理と温度計測のための磁気共鳴信号のデータ収集との関係を説明するためのグラフ及びシーケンス図である。同図において、最上段は、加温対象（治療である患部）の相対的な温度変化を示すグラフである。中段は、加温部３０によって実行される加温処理の加温タイミングを示したシーケンス図であり、各矢印は加温のための一回の超音波照射を表したものである。さらに、下段は、磁気共鳴映像診断装置によって実行される、温度計測のための磁気共鳴信号のデータ収集タイミングを示したシーケンスであり、各矩形は、図３に示したパルスシーケンスに従う一回のスキャンを表したものである。
【００４０】
図４からわかるように、加温のＯＮ／ＯＦＦパターンと温度変化のパターンとは相関する。本磁気共鳴イメージングシステム１０では、この点に着目し、加温部３０による加温タイミングと同期するように、磁気共鳴信号のデータ収集タイミングを制御する。この制御は、シーケンス制御部２０によって制御される。
【００４１】
すなわち、加温のＯＮ／ＯＦＦパターンと温度変化のパターンとの間に相関関係があることから、加温処理と磁気共鳴信号収集との間の時間差をなくすように、加温タイミングと磁気共鳴信号収集とを同期させる。これにより、加温処理と磁気共鳴信号収集との間の時間差において発生していた体動に起因する磁気共鳴信号の位相変化を計測することがなくなる。その結果、体動に起因する誤差の温度データへの重畳を防止することができる。
【００４２】
また、本実施形態では、加温のＯＮ／ＯＦＦパターンと温度変化のパターンとの相関関係に基づき、加温処理による加温対象の温度上昇推定を行う。
【００４３】
すなわち、図５（ａ）に示すように、温度データ生成部２１４は、一周期（例えば、数十秒〜一分程度）内の加温処理による温度変化パターンを評価して、一周期分の加熱処理によって得られる加熱対象の温度変化パターン（基準温度変化パターン）Ｔを求める。この基準温度変化パターンを利用すれば、図５（ｂ）に示す様に、以後の加温処理による温度上昇を推定することができる。
【００４４】
この推定処理による実益の一つは、基準温度変化パターンのみを正確に取得すれば、以後の加温処理による温度上昇を高精度で推定することができ点である。また、患者の立場からすれば、一周期分の加温処理であれば、体動を起こさないようにすることは一般的に困難でなない。従って、医師、患者の双方に関する治療中の身体的・精神的負担を軽減させることができる。
【００４５】
なお、基準温度変化パターンを取得するためには、加温ＯＮ／ＯＦＦに応じて少なくとも２回の磁気共鳴信号の収集（すなわち、一周期内における少なくとも２回の磁気共鳴信号収集）が必要である。
【００４６】
また、一周期内における磁気共鳴信号収集の回数は、加温部３０の加温能力に応じて制御することが好ましい。例えば、強い超音波による加温や比較的長時間に亘る加温により、患部の温度が急激に変化すると予測される場合には、一周期内における磁気共鳴信号収集の回数を増加させることが好ましい。
【００４７】
さらに、基準温度変化パターンは、上記例では温度変化そのもののパターンとして定義したが、一周期分の加熱処理に同期したスキャンによって得られる磁気共鳴信号の位相変化パターンであってもよい。
【００４８】
（計測温度データの評価処理）
上記加温制御及び温度計測シーケンスに従えば、上記加温制御及び温度計測シーケンスに従って得られた加温制御パターンと加温対象の温度変化パターン（位相変化パターン）とは、理論的には一致すると考えられ、従って、基本的には、上記加温処理と温度計測との同期によって、好適な温度計測を実現することができる。
【００４９】
しかしながら、被検体の温度変化の時定数が長い場合には、上記加温制御及び温度計測シーケンスに従ったとしても、得られる加温制御パターンと位相変化のパターンとは、必ずしも一致しないこともある。係る場合には、患部の加温から磁気共鳴信号の位相変化による温度上昇計測までのレスポンスが遅延することになり、この間（時間差）において発生した体動等に起因するノイズが被検体からの磁気共鳴信号に重畳し、その結果、計測される温度データの信頼性を低下させる。
【００５０】
そこで、本磁気共鳴イメージングシステム１０では、加温のＯＮ／ＯＦＦパターンと温度変化のパターンとの相関関係に基づき、計測温度データの評価を行う。これにより、被検体の温度変化の時定数が長い場合であっても、加温処理に起因する磁気共鳴信号の位相変化のみを抽出することができ、信頼性の高い温度データを所得することができる。
【００５１】
図６は、温度データ評価処理を説明するための図である。同図において、オリジナル波形Ａは被検体加温対象の実際の温度変化、計測波形Ｂは、図３に示すパルスシーケンスで得られ、且つ温度データ生成部２１４において式（１）に従って計算された温度変化、シフト波形Ｃは生体の動きに伴う誤差成分をそれぞれ示している。
【００５２】
また、対数計測波形Ｄは、計測波形Ｂの各値の対数を取り、これをプロットしたものである。さらに、対数オリジナル波形Ｅは、オリジナル波形Ａの各値の対数を取り、これをプロットしたものである。
【００５３】
一般に、計測波形Ｂは、温度上昇カーブは基本的に指数関数に従って変化するため、対数計測波形Ｄは、時定数に応じた直線上にプロットされる。このため、被検体の動きに伴う変化等が重畳しない理想的な状態では、対数計測波形Ｄは、対数オリジナル波形Ｅとほぼ同じようになり、温度上昇領域では負の傾きを有する（温度下降領域では正の傾きを有する）直線として表される。
【００５４】
これに対して、上記生体の動きが生じた場合の波形に同様の処理を施した場合には、対数計測波形Ｄは、図６に示すように誤差が発生した部分で直線から逸脱した特性を示す。
【００５５】
本磁気共鳴イメージングシステム１０では、この点に着目し、本評価部２１５は、この様に対数計測波形Ｄが予測した対数オリジナル波形Ｅから所定の閾値以上外れている場合には、検出された位相変化に生体の動き等による誤差が重畳していると評価し、患部温度データの生成から除外する。
【００５６】
すなわち、評価部２１５は、上記加温制御及び温度計測シーケンスに従う少なくとも二回の位相変化計測によって基準温度変化パターンを生成し、これに基づいてオリジナル波形Ａ、対数オリジナル波形Ｅを推定する。一方、評価部２１５は、温度データ生成部２１４から受け取る計測温度データに基づいて、計測値及びその対数計測値を逐次プロットする。プロットされた対数計測値が対数オリジナル波形Ｅから所定の閾値以上離れた場合には、当該対数計測値には生体の動き等による誤差が重畳していると評価し、この成分を患部温度データの生成から除外する。計測温度データが除外された場合には、基準温度変化データに基づいて、最終的な患部温度データを生成する。
【００５７】
なお、評価の際の閾値は、任意の設定にすることが可能であり、また、上記対数曲線を得る際には、信号値の平均化処理をする構成であってもよい。
【００５８】
（動作加温処理及び温度計測処理）
次に、本磁気共鳴イメージングシステム１０の動作について説明する。
【００５９】
図７は、加温治療に同期する温度計測において実行される各処理の流れを示したフローチャートである。なお、同図には示されていないが、加温治療のための加熱処理は、図４等のシーケンスに従って温度計測と並行して周期的に実行されているものとする。
【００６０】
まず、温度計測のためのスキャンを実行し、得られた磁気共鳴信号に基づいて計測温度データを生成する（ステップＳ１）。また、得られた計測温度データに基づいて、一周期分の加温処理による計測温度データの変化パターン（基準温度変化パターン）を生成する（ステップＳ２）。
【００６１】
次に、さらなる加温処理に同期させ、温度計測のためのスキャン及び得られた磁気共鳴信号に基づく計測温度データを生成する（ステップＳ３）。
【００６２】
次に、得られた計測温度データから基準温度変化パターンを差分し、その差分値が所定の閾値内であるか否かを判定する（ステップＳ４）。ステップＳ４において差分値が閾値以内と判定された場合には、ステップＳ３において生成した計測温度データを患部温度データであるとする（ステップＳ５）。一方、ステップＳ４において差分値が閾値より大きいと判定された場合には、ステップＳ２において生成した基準温度変化パターンを患部温度データであるとする（ステップＳ５´）。ステップＳ５又はＳ５´において得られた患部温度データは、ディスプレイ２３に表示される（ステップＳ７）。
【００６３】
次に、加温処理を終了するか否かを判定し、終了する場合には当該温度計測処理も終了する。一方、継続して加温処理を行う場合には、ステップＳ３〜ステップＳ６までの処理を繰り返す（ステップＳ７）。
【００６４】
以上述べた構成によれば、以下の効果を得ることができる。
【００６５】
本磁気共鳴イメージングシステムでは、加温処理と温度計測用磁気共鳴信号の収集との間の時間差をなくすように、加温制御タイミングに同期させてスキャンを事項する。従って、加温処理と磁気共鳴信号の収集との間の時間差において発生する体動に起因する誤差の重畳を防止することができる。その結果、温熱治療等において、信頼性の高い温度計測を実現することができる。
【００６６】
また、本磁気共鳴イメージングシステムでは、一周期分の加温処理に対応する基準温度変化パターンを推定し、これに基づいて計測温度データに体動等に起因する誤差が重畳しているか否かを評価する。従って、被検体の体動等に起因する磁気共鳴信号の位相変化と、加温による磁気共鳴信号の位相変化とを、明確に区別することができる。その結果、温熱治療等において、信頼性の高い温度計測を実現することができる。
【００６７】
なお、本発明は上記実施形態そのままに限定されるものではなく、実施段階ではその要旨を逸脱しない範囲で構成要素を変形して具体化できる。
【００６８】
（１）上記実施形態においては、磁気共鳴信号の位相変化が、加温処理に起因するものであるのか又は被検体の体動に起因するものであるのかの評価を、閾値処理によって実行した。しかし、これに限定されず、例えば磁気共鳴信号の位相変化量の割合に着目して評価する構成であってもよい。
【００６９】
すなわち、被検体の体動に起因する磁気共鳴信号の位相変化は、一般的に線形であると考えることができる。一方、加温処理による患部の温度変化は、一般的に非線形（例えば、指数関数的）であると考えられる。従って、一周期分の加温処理に同期して計測された温度変化から基準温度変化パターンを差し引き、その差分値が略線形であるならば、当該周期に対応して計測された温度データには、体動による誤差が重畳していると評価することができる。
【００７０】
（２）より計測精度を改善するために、上記実施形態に係る手法と、低次分布を補正する従来の方法とを組み合わせる構成であってもよい。
【００７１】
また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【産業上の利用可能性】
【００７２】
以上本発明によれば、腫瘍等の温熱治療時において、システム、或いは被検体の動きによって生じる磁場不均一性が計測精度に及ぼす影響を除去し、信頼性の高い温度計測を実行することができる磁気共鳴映像診断システムを実現できる。
【図面の簡単な説明】
【００７３】
【図１】図１は、本実施形態に係る磁気共鳴映像診断システム１０のブロック構成図を示している。
【図２】図２は、計算機システム２１の構成のブロック構成図を示した図である。
【図３】図３は、加温処理に同期して実行される温度計測のためのスキャンシーケンスを示した図である。
【図４】図４は、加熱処理と温度計測のためのスキャンシーケンスとの実行タイミングを説明するための図である。
【図５】図５は、温度データ生成部２１４によって生成された計測温度データと、基準温度変化パターンとをプロットしたグラフである。
【図６】図６は、温度データ評価処理を説明するための図である。
【図７】図７は、加温治療及びこれに伴う温度計測において実行される各処理の流れを示したフローチャートである。
【図８】図８は、従来の磁気共鳴イメージング装置による温度計測を説明するための図である。
【図９】図９は、従来の磁気共鳴イメージング装置による温度計測を説明するための図である。
【図１０】図１０は、従来の磁気共鳴イメージング装置による温度計測を説明するための図である。
【符号の説明】
【００７４】
１０…磁気共鳴映像診断システム、１１…静磁場磁石、１２…シムコイル、１３…傾斜磁場コイル、１４…高周波プローブ、１６…シムコイル電源、１７…傾斜磁場電源、１８…送信部、１９…受信部、２０…シーケンス制御部、２１…計算機システム、２３…ディスプレイ、２４…コンソール、３０…加温部、２１０…記憶部、２１１…システム制御部、２１２…データ収集部、２１３…再構成部、２１４…温度データ生成部、２１５…評価部
【図１】
2005304558.tif 000003
【図２】
2005304558.tif 000004
【図３】
2005304558.tif 000005
【図４】
2005304558.tif 000006
【図５】
2005304558.tif 000007
【図６】
2005304558.tif 000008
【図７】
2005304558.tif 000009
【図８】
2005304558.tif 000010
【図９】
2005304558.tif 000011
【図１０】
2005304558.tif 000012